(57)【要約】【課題】  扉を閉じた際に錠装置が破損することを防止でき、加えて特別な操作を行わなくても扉を施錠できる錠装置を提供する。【解決手段】  本発明の錠装置は、建物の開口部に配置する開き戸の扉３に本体２を取り付け、開口部の枠１３に受座１４を設ける。本体２には、出没するデッドボルト５と、デッドボルト５を出没方向に移動させる駆動部６と、扉開放信号を受信した際にデッドボルト５を後退させる制御部１２とを有する。デッドボルト５は、コイルバネ２３によって付勢されて突出位置で受座１４の受穴１５に係合する。デッドボルト５の先端面５ａは、扉３の閉じ方向側へ向かうに従って後方へ傾斜し、突出位置のデッドボルト５の先端面５ａが受座１４に当接したときにはデッドボルト５が後方へ押されて後退し、扉３を閉め切ったときにデッドボルト５が受座１４の受穴１５に係合する。【選択図】  図１
2013064246.tif 000002
【特許請求の範囲】
【請求項１】
建物の開口部に配置する開き戸の扉（３）および前記開口部の枠（１３）に取り付ける錠装置であって、
前記扉（３）または前記枠（１３）のいずれか一方に本体（２）を取り付けるとともに、他方に受座（１４）を設けており、
本体（２）には、当該本体（２）に対して出没可能に支持されるデッドボルト（５）と、そのデッドボルト（５）を出没方向に移動させる駆動部（６）と、扉開放信号を受信した際に駆動部（６）を駆動してデッドボルト（５）を本体（２）の内方へ向けて後退させる制御部（１２）とを有しており、
デッドボルト（５）は、付勢手段（２３）によって本体（２）から突出する方向に付勢されていて、本体（２）から突出した突出位置で受座（１４）の受穴（１５）に係合するようになっており、
デッドボルト（５）の受座（１４）側の先端面（５ａ）は、扉（３）の閉じ方向側へ向かうに従って本体（２）側である後方へ傾斜していて、扉（３）を閉めることで突出位置のデッドボルト（５）の先端面（５ａ）が受座（１４）に当接したときには、その受座（１４）によってデッドボルト（５）の先端面（５ａ）が後方へ押されて、付勢手段（２３）の付勢力に抗して本体（２）側に後退し、扉（３）を閉め切ったときにデッドボルト（５）が受座（１４）の受穴（１５）に係合することを特徴とする錠装置。
【請求項２】
駆動部（６）は、モータ（７）を有していて、そのモータ（７）の出力軸の回転運動をデッドボルト（５）の直線運動に変換するようになっており、
モータ（７）の出力軸には、回転板（１７）を取り付けており、
その回転板（１７）にロッド（１９）の一端を揺動自在に取り付け、そのロッド（１９）の他端側にデッドボルト（５）の出没方向に延びる長穴（２０）を形成しており、
その長穴（２０）には、デッドボルト（５）に固定しているピン（２１）が当該長穴（２０）の長さ方向へ移動可能に係合されていることを特徴とする請求項１記載の錠装置。
【請求項３】
デッドボルト（５）には、つまみ（２５）を設けており、
そのつまみ（２５）は、本体（２）に凹み形成した凹部（２６）内に突入しており、
前記凹部（２６）の開口面にカバー（２７）を配置していて、そのカバー（２７）は、凹部（２６）の内方へ押すことで破断して凹部（２６）から除去できるようになっていることを特徴とする請求項１または２記載の錠装置。
【請求項４】
制御部（１２）は、非常感知器（１０）からの扉開放信号を受信した際にデッドボルト（５）を本体（２）の内方へ向けて後退させることを特徴とする請求項１ないし３のいずれかに記載の錠装置。
【請求項５】
制御部（１２）は、リモコン（１１）からの扉開放信号を受信した際にデッドボルト（５）を本体（２）の内方へ向けて後退させることを特徴とする請求項１ないし４のいずれかに記載の錠装置。
【発明の詳細な説明】
【技術分野】
【０００１】
本発明は、マンション、一般住宅またはビルディングなどの建物に配置している開き戸または開き窓などに取り付ける錠装置に関するものである。
【背景技術】
【０００２】
特許文献１には、開き戸の扉（ドア）の室内側の面に錠本体を取り付け、その錠本体にリモコンでの操作に応じて出没する閂片を内蔵し、扉を閉じた状態で閂片を突出させたときには前記閂片が建物の開口部の固定枠に当接して、扉が開放不能になる錠装置が開示されている。また、特許文献１に記載の錠装置では、手動操作レバーによって手動で閂片を操作できるようになっている。
【先行技術文献】
【特許文献】
【０００３】
【特許文献１】実用新案登録第３０９０１１８号公報
【発明の概要】
【発明が解決しようとする課題】
【０００４】
特許文献１に記載の錠装置では、閂片を錠本体から突出させた状態で扉を閉じると、閂片が固定枠に激突して錠本体や固定枠などを破損させる虞がある。また、扉を閉じたのちにリモコンを操作して閂片を錠本体から突出させなければ施錠できず、その施錠のための操作が煩わしいといった問題がある。
【０００５】
本発明は、かかる不都合を解決することを目的とするものであり、扉を閉じた際に錠装置が破損することを防止でき、加えて特別な操作を行わなくても施錠できる錠装置を提供することにある。
【課題を解決するための手段】
【０００６】
本発明は、前記不都合を解決するものである。すなわち本発明は、建物の開口部に配置する開き戸の扉３および前記開口部の枠１３に取り付ける錠装置であって、扉３または枠１３のいずれか一方に本体２を取り付けるとともに、他方に受座１４を設けており、本体２には、当該本体２に対して出没可能に支持されるデッドボルト５と、デッドボルト５を出没方向に移動させる駆動部６と、扉開放信号を受信した際に駆動部６を駆動してデッドボルト５を本体２の内方へ向けて後退させる制御部１２とを有しており、デッドボルト５は、付勢手段２３によって本体２から突出する方向に付勢されていて、本体２から突出した突出位置で受座１４の受穴１５に係合するようになっており、デッドボルト５の受座１４側の先端面５ａは、扉３の閉じ方向側へ向かうに従って本体２側である後方へ傾斜していて、扉３を閉めることで突出位置のデッドボルト５の先端面５ａが受座１４に当接したときには、その受座１４によってデッドボルト５の先端面５ａが後方へ押されて、付勢手段２３の付勢力に抗して本体２側に後退し、扉３を閉め切ったときにデッドボルト５が受座１４の受穴１５に係合することを特徴とする。ここでの扉３には、両開き戸や片開き戸や開き窓などが該当する。また扉開放信号は、赤外線などを用いた無線または有線の通信方式で本発明の錠装置に送信される。付勢手段２３には、コイルバネや合成ゴムなどが該当する。
【０００７】
詳しくは、駆動部６は、モータ７を有していて、そのモータ７の出力軸の回転運動をデッドボルト５の直線運動に変換するようになっており、モータ７の出力軸には、回転板１７を取り付けており、その回転板１７にロッド１９の一端を揺動自在に取り付け、そのロッド１９の他端側にデッドボルト５の出没方向に延びる長穴２０を形成しており、その長穴２０には、デッドボルト５に固定しているピン２１が長穴２０の長さ方向へ移動可能に係合されている。
【０００８】
また、デッドボルト５には、つまみ２５を設けており、そのつまみ２５は、本体２に凹み形成した凹部２６内に突入しており、凹部２６の開口面にはカバー２７を配置していて、カバー２７は、凹部２６の内方へ押すことで破断して凹部２６から除去できるようになっている。
【０００９】
また、制御部１２は、非常感知器１０またはリモコン１１からの扉開放信号を受信した際にデッドボルト５を本体２の内方へ向けて後退させるものとすることができる。ここでの非常感知器１０には、煙感知器、熱感知器、ガス感知器および地震感知器などが該当する。非常感知器１０およびリモコン１１は、赤外線などを用いた無線方式、または有線方式で扉開放信号を送信する。ここでは、非常感知器１０を制御盤などに有線または無線で接続し、その制御盤などから錠装置１に扉開放信号を送信する場合も含まれる。
【発明の効果】
【００１０】
本発明の錠装置は、非常感知器１０やリモコン１１などからの扉開放信号を受信した際に、デッドボルト５を本体２の内方へ向けて自動的に後退させるので、人が解錠のための特別な操作を行わなくても扉３を迅速に開くことができる。つまり、手間をかけずに開錠して扉３を開くことができる。
【００１１】
また、デッドボルト５が突出位置にある状態で扉３を閉めたときには、デッドボルト５が受座１４との当接によって本体２側に後退し、その後に扉３を閉め切ったときにデッドボルト５が受座１４の受穴１５に係合して施錠される。つまり、人が施錠のための特別な操作を行わなくても扉３を閉めるだけで施錠される。これにより、施錠のための手間を軽減できる。加えて、扉３を閉めたときにデッドボルト５が本体２側に後退するので、デッドボルト５が枠１３に激突して、デッドボルト５や受座１４や本体２などが破損することを確実に防止できる。
【００１２】
デッドボルト５のピン２１がロッド１９の長穴２０の長さ方向（デッドボルト５の出没方向）へ移動できると、ロッド１９がデッドボルト５を突出させる位置にいても、扉３を閉めたときにはデッドボルト５を確実に後退させることができる。
【００１３】
デッドボルト５につまみ２５を設けていると、そのつまみ２５を指などで摘んでデッドボルト５の後退方向へ手動で移動させることで、それに伴ってデッドボルト５が後退する。これによって、例えば錠装置１が故障した場合に、デッドボルト５の後退方向へ手動で移動させて開錠することができる。加えて、つまみ２５が突入している本体２の凹部２６の開口面にカバー２７を配置していると、そのカバー２７によってつまみ２５が見え難くなる。これにより、例えばいたずらによってつまみ２５が移動されて、扉３が不用意に開かれることを防止することができる。つまみ２５を使用するときには、カバー２７を指などで凹部２６の内方へ押して破断させ、凹部２６から除去する。
【００１４】
非常感知器１０からの扉開放信号を受信した際にデッドボルト５を本体２の内方へ向けて後退させると、火事などの非常事態の際には、人が解錠のための特別な操作を行わなくても開錠し、これにて扉３を開いて屋外などへ迅速に脱出することができる。
【００１５】
リモコン１１からの扉開放信号を受信した際にデッドボルト５を本体２の内方へ向けて後退させると、人が解錠のための特別な操作を行わなくても扉３を開くことができる。
【図面の簡単な説明】
【００１６】
【図１】本発明にかかる錠装置の横断平面図である。
【図２】図１のＡ―Ａ線矢視断面図である。
【図３】後退位置のデッドボルトを示す図１の相当図である。
【図４】錠装置の正面図である。
【図５】錠装置のブロック構成図である。
【図６】錠装置の他の取り付けを示す横断平面図である。
【発明を実施するための形態】
【００１７】
本発明に係る錠装置の一実施例を図１ないし図５に基づいて説明する。本発明の錠装置は、例えば、マンション、一般住宅またはビルディングなどの部屋の入り口や玄関などの建物の開口部に配置する開き戸の扉に取り付けられる。
【００１８】
錠装置１の本体２は、図１および図２に示すように、扉３の室内側の適所にビスなどで取り付けられる。前記本体２には、当該本体２に対して出没可能に支持されるデッドボルト５と、そのデッドボルト５を出没方向（図１では左右方向）に移動させる駆動部６と、駆動部６の直流モータ７などに電源供給する電源部８と、煙感知器などの非常感知器１０やリモコン１１などから送信されてくる扉開放信号を受信した際に駆動部６の直流モータ７を駆動するなどの制御を行う制御部１２などを有している。前記開口部には枠１３を配置しており、その枠１３内に扉３を配置している。
【００１９】
デッドボルト５は、本体２から突出して、前記枠１３に設けた受座１４の受穴１５に係合（嵌合）可能になっており、デッドボルト５が受穴１５に係合している状態（図１の状態）で扉３が開放不能になる。電源部８は、ニッケル水素蓄電池などの二次電池を有している。制御部１２は、電源部８の二次電池を充電するための充電制御回路や過電流保護回路などを有している。なお、電源部８は、二次電池に代えて、または二次電池と共に一次電池を有してもよい。受座１４は、枠１３と別体であってもよいが、枠１３に一体形成してもよい。
【００２０】
駆動部６は、直流モータ７の出力軸（回転軸）の回転運動をデッドボルト５の直線運動に変換するようになっている。つまり、直流モータ７の出力軸には、円形状の回転板１７を同心状に取り付けており、その回転板１７の周縁部には、ピン１８を介してロッド１９の一端を揺動自在に取り付けている。そのロッド１９の他端側には、デッドボルト５の出没方向（図１では左右方向）に延びる長穴２０を形成しており、その長穴２０には、デッドボルト５に固定しているピン２１が当該長穴２０の長さ方向（デッドボルト５の出没方向）へ移動可能に係合されている。
【００２１】
デッドボルト５の後端面（図２では右側）と、本体２内に突出している突起２２との間には、コイルバネ（付勢手段）２３を配置しており、そのコイルバネ２３によってデッドボルト５が本体２から突出する方向（図２では左方向）に付勢されている。また、デッドボルト５の室内側の側面（図１では下側）には、ピン形状のつまみ２５を設けており、そのつまみ２５の先端部は、本体２の室内側の側面に凹み形成した凹部２６内に突入している。そして、つまみ２５の先端部を指などで摘んで手動でデッドボルト５の後退方向（図１では右方向）に移動させると、それに伴ってデッドボルト５が、コイルバネ２３の付勢力に抗して本体２の内方へ後退する。
【００２２】
前記凹部２６の開口面（図１では下側）には、不透明または半透明の合成樹脂製のカバー２７を配置している。なお、カバー２７は、図４に示すように横長の四角形状になっている。そのカバー２７の凹部２６側の内面には、複数本（図４では３本）の破断線２８を縦方向に形成しており、指などでカバー２７を凹部２６の内方へ強く押すと、破断線２８でカバー２７が破断して凹部２６から除去できるようになっている。このカバー２７の除去によって前記つまみ２５の先端部を指などで摘むことができる。このように、デッドボルト５を手動で後退させることができるので、錠装置１の故障や電池切れなどによって直流モータ７を駆動できないときにも、手動でデッドボルト５を受座１４の受穴１５から外して扉３を開くことができる。また、凹部２６をカバー２７で覆うので、いたずらなどでつまみ２５が操作されることが防がれる。
【００２３】
デッドボルト５の受座１４側の先端面（図１では左側面）５ａは、図１に示すように、扉３の閉じ方向（図１では下方向）側へ向かうに従って本体２側である後方（図１では右側）へ傾斜している。これによって、扉３を閉めることで突出位置のデッドボルト５の先端面（傾斜面）５ａが受座１４の扉３側の側面１４ａに当接したときには、その受座１４の側面１４ａによってデッドボルト５の先端面５ａが後方へ押され、デッドボルト５がコイルバネ２３の付勢力に抗して本体２の内方へ後退する。扉３を閉め切ったときには、デッドボルト５は、受座１４の受穴１５に臨むために、コイルバネ２３の付勢力によって受穴１５内に突入する。これによってデッドボルト５が受穴１５に係合する。
【００２４】
直流モータ７の回転軸には、前記回転板１７と一体化している円板形状のカム板３０を取り付けており、そのカム板３０の周縁に沿って、デッドボルト５が突出位置まで前進したことを検出する第１リミットスイッチ３１と、デッドボルト５が後退位置まで後退したことを検出する第２リミットスイッチ３２とを配置している。カム板３０は、その偏心位置で直流モータ７の出力軸に取り付けている。
【００２５】
次に、錠装置１の動作を説明する。例えば、扉３を閉め切っていてデッドボルト５が受座１４の受穴１５に係合している状態（図１の状態）で、人が室外へ退去または室内へ入るためにリモコン１１を操作すると、そのリモコン１１からの扉開放信号を錠装置１の制御部１２が受信する。すると、当該制御部１２は、駆動部６の直流モータ７を駆動して突出位置のデッドボルト５を本体２の内方へ後退させる。そして、第２リミットスイッチ３２によってデッドボルト５が後退位置（図３の位置）まで後退したことが検出されると、制御部１２は直流モータ７を停止する。このとき、図３に示すように、デッドボルト５は受座１４の受穴１５から外れている。この状態で扉３を開くことができる。
【００２６】
その後、所定の時間が経過すると、制御部１２は、直流モータ７を駆動して前記後退位置のデッドボルト５を突出させ、第１リミットスイッチ３１によってデッドボルト５が突出位置（図１の位置）まで前進したことが検出されると、直流モータ７を停止する。このとき、扉３を閉じていると、デッドボルト５は受座１４の受穴１５に係合し、扉３は開放不能な状態になる。前記所定の時間としては、制御部１２がリモコン１１からの扉開放信号を受信してから、例えば１０〜２０秒程度にしている。
【００２７】
このように、リモコン１１からの扉開放信号を受信した際には、所定の時間の経過後にデッドボルト５が突出するので、リモコン１１を操作した者が、例えば室内から退去したのちに扉３を閉じるだけで、リモコン１１を操作しなくても扉３が開放不能な状態になる。これによってリモコン１１の操作忘れによる扉３の開放を確実に防止できる。
【００２８】
前記所定の時間として、例えば１０〜２０秒程度としたのは、通常、リモコン１１を操作した者は扉３の近傍に居るので、解錠状態の扉３を開くまでに長時間を要さないからである。扉３を開いた状態のまま前記所定の時間が経過してデッドボルト５が突出しても、扉３を閉じたときには、前述のようにデッドボルト５が受座１４の傾斜面１４ａに押されて後退したのちに、受座１４の受穴１５内に突入して扉３が開放不能な状態になる。なお、扉３を開くまでに長時間を要した場合には、リモコン１１を再度操作することでデッドボルト５を再び後退させて、扉３を開くことができる。
【００２９】
リモコン１１と制御部１２とは、赤外線や電波や超音波などによる無線通信方式を用いて通信している。リモコン１１には一個の押ボタン２９（図５）を設けており、その押ボタン２９が押されると、前記扉開放信号を送信する。なお、リモコン１１と制御部１２とは、有線通信方式を用いて通信してもよい。制御部１２は、リモコン１１の押ボタン２９が押されて突出位置のデッドボルト５を後退させたのち、リモコン１１の押ボタン２９がもう一度押されると、後退位置のデッドボルト５を突出させるようにしてもよい。デッドボルト５を後退させるための押ボタンと、デッドボルト５を突出させるための押ボタンとをリモコン１１に別々に設けてもよい。
【００３０】
非常感知器１０からの扉開放信号（非常信号）を受信した場合にも、制御部１２は、リモコン１１からの扉開放信号を受信した場合と同様の動作を行うが、デッドボルト５が後退位置まで後退しても直流モータ７を駆動することがない点が異なる。これによってデッドボルト５は後退位置のままで保持される。つまり、非常感知器１０からの扉開放信号を受信したときは火事などの非常事態であるので、老人や身体障害者などであっても室内から確実に退去できるようにデッドボルト５が突出しないようにしている。なお、この場合であっても、前記退去後などにリモコン１１を操作することで、デッドボルト５を突出させることができる。
【００３１】
電源部８は、電池を複数本有しており、それらの電池は、二つの電池群に分かれている。制御部１２は、各電池群を交互に切り替えて駆動部６の直流モータ７などに接続する。つまり、制御部１２は、使用中の一方の電池群の残容量を検出しており、当該一方の電池群の残容量が少なくなると（例えば残容量がほぼなくなると）、他方の電池群に切り替える。これにより、他方の電池群を使用している間に一方の電池群を新しい電池に交換したり、または充電したりすることができ、電池切れによって錠装置１が作動しなくなることを未然に防ぐことができる。
【００３２】
本体２の外面には、電源部８に接続されるコネクタ３４を配置しており、そのコネクタ３４には充電器などの外部電源（不図示）を接続可能になっている。その外部電源によって、例えば前記残容量が少なくなっている前記一方の電池群を充電することができる。制御部１２は、不図示のＬＥＤやブザーなどを有しており、例えば、前記いずれかの電池群が容量不足になったときには、前記ＬＥＤやブザーなどによってその旨を報知する。
【００３３】
制御部１２は、所定時間（例えば数秒）ごとにしか作動しないようになっており、リモコン１１は、制御部１２の作動停止時間よりも長い時間、扉開放信号を送信するようになっている。制御部１２は、前記作動時間内に扉開放信号を受信したときには直流モータ７を駆動する。このように、制御部１２を所定時間ごとにしか作動しないようにしたことで、錠装置１の消費電力が抑えられる。
【００３４】
制御部１２は、前記外部電源が接続されたときには、前記残容量が少なくなっている一方の電池群のみを充電するようにしてもよいが、使用により他方の電池群の残容量も少なくなっている場合には、その他方の電池群も充電するようにしてもよい。前記外部電源としては、例えば手回し式の発電機（不図示）などであってもよい。
【００３５】
なお、図６に示すように、錠装置１の本体２を扉３の室外側の適所に取り付け、それに対応させて受座１４を枠１３の室外側に設けてもよい。また、錠装置１の本体２を枠１３に取り付け、受座１４を扉３に設けてもよい。この場合、電源として商用電源を用いることができるが、前記直流モータ７に代えて交流モータを使用することになる。また、前記商用電源を用いる場合に、当該商用電源を整流して直流モータ７などに供給してもよい。
【００３６】
非常感知器１０には、煙感知器の他に、熱感知器、ガス感知器および地震感知器などが該当する。また、錠装置１を複数の部屋の各扉３にそれぞれ設置した場合には、一個または複数個の非常感知器１０から送信された扉開放信号によって各錠装置１を一斉に作動させることができる。また、例えば一個または複数個の非常感知器１０を制御盤に有線または無線で接続し、その制御盤から錠装置１に扉開放信号を送信するようにしてもよい。
【００３７】
電源部８が一次電池のみを有する場合には、コネクタ３４を省略することができる。この場合にも、一次電池は、例えば二つの電池群に分かれており、制御部１２は、一方の一次電池の電池群の残容量が少なくなると、他方の一次電池の電池群に切り替える。
【符号の説明】
【００３８】
１  錠装置
２  本体
３  扉
５  デッドボルト
６  駆動部
７  直流モータ
８  電源部
１０  非常感知器
１１  リモコン
１２  制御部
１３  枠
１４  受座
１５  受穴
１７  回転板
１９  ロッド
２０  長穴
２１  ピン
２３  コイルバネ
２５  つまみ
２６  凹部
２７  カバー
【図１】
2013064246.tif 000003
【図２】
2013064246.tif 000004
【図３】
2013064246.tif 000005
【図４】
2013064246.tif 000006
【図５】
2013064246.tif 000007
【図６】
2013064246.tif 000008